(57)【要約】【課題】色割れといった現象が認識され難い表示装置を提供する。【解決手段】表示装置は、（イ）観察者の頭部に装着されるフレーム、及び、（ロ）フレームに取り付けられた左眼用画像表示装置及び右眼用画像表示装置を備えており、各画像表示装置は、フィールドシーケンシャル駆動方式で複数色の画像を表示する画像形成装置を備えており、左眼用画像表示装置にて左眼用画像を表示するときの画像表示色と、右眼用画像表示装置にて右眼用画像を表示するときの画像表示色とが異なる。【選択図】  図１
2014225725.tif 000002
【特許請求の範囲】
【請求項１】
（イ）観察者の頭部に装着されるフレーム、及び、
（ロ）フレームに取り付けられた左眼用画像表示装置及び右眼用画像表示装置、
を備えており、
各画像表示装置は、フィールドシーケンシャル駆動方式で複数色の画像を表示する画像形成装置を備えており、
左眼用画像表示装置にて左眼用画像を表示するときの画像表示色と、右眼用画像表示装置にて右眼用画像を表示するときの画像表示色とが異なる表示装置。
【請求項２】
（イ）観察者の頭部に装着されるフレーム、及び、
（ロ）フレームに取り付けられた左眼用画像表示装置及び右眼用画像表示装置、
を備えており、
各画像表示装置は、フィールドシーケンシャル駆動方式で複数色の画像を表示する画像形成装置を備えており、
１表示フレーム内において左眼用画像表示装置にて左眼用画像を表示するときの画像表示期間と、１表示フレーム内において右眼用画像表示装置にて右眼用画像を表示するときの画像表示期間とが異なる表示装置。
【請求項３】
１表示フレーム内における画像表示期間はＮの副画像表示期間に分割されており、
第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは異なる請求項２に記載の表示装置。
【請求項４】
１表示フレーム内における画像表示期間はＮの副画像表示期間に分割されており、
第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは同じであるが、第ｎ番目の副画像表示期間内における画像表示期間がずらされている請求項２に記載の表示装置。
【請求項５】
１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが無い請求項４に記載の表示装置。
【請求項６】
１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが有る請求項４に記載の表示装置。
【請求項７】
時間的重なりは、１副画像表示期間の５０％乃至９９％の範囲内である請求項６に記載の表示装置。
【請求項８】
外部から画像信号を取り込み、画像信号に所定の信号処理を施し、フィールドシーケンシャル駆動用信号に変換する画像信号処理回路を更に備えている請求項１又は請求項２に記載の表示装置。
【請求項９】
画像信号処理回路は、
複数色に関する画像信号に対する信号処理を行う第１画像信号処理回路、
フィールドシーケンシャル駆動用信号を生成する第２画像信号処理回路、
フィールドシーケンシャル駆動用信号に対して１表示フレーム内における信号処理を行う第３画像信号処理回路、及び、
１表示フレーム分のフィールドシーケンシャル駆動用信号を格納するメモリ部、
から構成されている請求項８に記載の表示装置。
【請求項１０】
第２画像信号処理回路は、
複数色に関する画像信号の判別を行う画像信号判別回路、
メモリ部との間のメモリインターフェース、及び、
メモリ部の制御を行うメモリ制御回路、
を有している請求項９に記載の表示装置。
【請求項１１】
画像形成装置は、複数色を発光する光源、及び、光源から出射された光の通過又は反射を制御する液晶表示装置から成る請求項１又は請求項２に記載の表示装置。
【請求項１２】
画像形成装置は、複数色を発光する光源、及び、光源から出射された光の反射を制御する複数のデジタルマイクロミラーデバイスから成る請求項１又は請求項２に記載の表示装置。
【請求項１３】
各画像表示装置は、画像形成装置からの画像を観察者の瞳に導く光学装置を更に備えており、
光学装置は、
（Ｂ−１）入射された光を内部で全反射により伝播させた後、出射する導光板、
（Ｂ−２）導光板に入射された光が導光板の内部で全反射されるように、導光板に入射された光を偏向させる第１偏向手段、及び、
（Ｂ−３）導光板の内部を全反射により伝播した光を導光板から出射させるために、導光板の内部を全反射により伝播した光を複数回に亙り偏向させる第２偏向手段、
を備えている請求項１又は請求項２に記載の表示装置。
【請求項１４】
各画像表示装置は、画像形成装置からの画像を観察者の瞳に導く光学装置を更に備えており、
光学装置は、
（Ｂ−１）画像形成装置からの画像を反射する反射鏡、及び、
（Ｂ−２）反射鏡によって反射された画像が入射するレンズ群、
を備えている請求項１又は請求項２に記載の表示装置。
【請求項１５】
左眼用画像表示装置に備えられた左眼用画像表示装置用光源、及び、右眼用画像表示装置に備えられた右眼用画像表示装置用光源から構成された画像表示装置用光源であって、
左眼用画像表示装置及び右眼用画像表示装置において複数色の画像を表示させるために、左眼用画像表示装置用光源及び右眼用画像表示装置用光源は、フィールドシーケンシャル駆動方式で複数色を出射し、
左眼用画像表示装置用光源における発光開始の時期と右眼用画像表示装置用光源における発光開始の時期が異なる画像表示装置用光源。
【請求項１６】
１表示フレーム内における画像表示期間はＮの副画像表示期間に分割されており、
第ｎ番目の副画像表示期間（但し、１≦ｎ≦Ｎ）において、左眼用画像表示装置用光源の発光色と、右眼用画像表示装置用光源の発光色とは異なる請求項１５に記載の表示装置。
【請求項１７】
１表示フレーム内における画像表示期間はＮの副画像表示期間に分割されており、
第ｎ番目の副画像表示期間（但し、１≦ｎ≦Ｎ）において、左眼用画像表示装置用光源の発光色と、右眼用画像表示装置用光源の発光色とは同じであるが、第ｎ番目の副画像表示期間内における左眼用画像表示装置用光源における発光開始の時期と右眼用画像表示装置用光源における発光開始の時期が異なる請求項１５に記載の画像表示装置用光源。
【発明の詳細な説明】
【技術分野】
【０００１】
本開示は、表示装置、より具体的には、頭部装着型ディスプレイ（ＨＭＤ，Head Mounted Display）での使用に適した表示装置、及び、係る表示装置での使用に適した画像表示装置用光源に関する。
【背景技術】
【０００２】
画像形成装置によって形成された２次元画像を虚像光学系により拡大虚像として観察者に観察させるための虚像表示装置（表示装置）が、例えば、特開２００６−１６２７６７から周知である。
【０００３】
概念図を図２１に示すように、この表示装置１００’は、２次元マトリクス状に配列された複数の画素を備えた画像形成装置１１１’、画像形成装置１１１’の画素から出射された光を平行光とするコリメート光学系１１２、及び、コリメート光学系１１２にて平行光とされた光が入射され、導光され、観察者の瞳２１へと出射される光学装置（導光手段）１２０を備えている。光学装置１２０は、入射された光が内部を全反射により伝播した後、出射される導光板１２１、導光板１２１に入射された光が導光板１２１の内部で全反射されるように、導光板１２１に入射された光を反射させる第１偏向手段１３０（例えば、１層の光反射膜から成る）、及び、導光板１２１の内部を全反射により伝播した光を導光板１２１から出射させる第２偏向手段１４０（例えば、多層積層構造を有する光反射多層膜から成る）から構成されている。そして、このような表示装置１００’によって、例えば、ＨＭＤを構成すれば、装置の軽量化、小型化を図ることができる。
【０００４】
あるいは又、画像形成装置によって形成された２次元画像を虚像光学系により拡大虚像として観察者に観察させるために、ホログラム回折格子を用いた虚像表示装置（表示装置）が、例えば、特開２００７−０９４１７５から周知である。
【０００５】
概念図を図２２に示すように、この表示装置２００’は、基本的には、画像を表示する画像形成装置１１１’と、コリメート光学系１１２と、画像形成装置１１１’に表示された光が入射され、観察者の瞳２１へと導く光学装置（導光手段）２２０とを備えている。ここで、光学装置２２０は、導光板２２１と、導光板２２１に設けられた反射型体積ホログラム回折格子から成る第１回折格子部材２３０及び第２回折格子部材２４０を備えている。そして、コリメート光学系１１２には画像形成装置１１１’の各画素から出射された光が入射され、コリメート光学系１１２によって導光板２２１へ入射する角度の異なる複数の平行光が生成され、導光板２２１に入射される。導光板２２１の第１面２２２から、平行光が入射され、出射される。一方、導光板２２１の第１面２２２と平行である導光板２２１の第２面２２３に、第１回折格子部材２３０及び第２回折格子部材２４０が取り付けられている。
【０００６】
また、フィールドシーケンシャル方式で駆動され、画面のチラツキを抑えた解像度の高い液晶表示装置の発明が、特開２０１０−０５５１２０から周知である。ここで、フィールドシーケンシャル駆動方式にあっては、１表示フレームの中で、入力された画像信号を、複数の色成分の画像信号（例えば、赤色画像を表示するための赤色画像信号、緑色画像を表示するための緑色画像信号、青色画像を表示するための青色画像信号）に時間分割し、画像形成装置において画像表示を行う。そして、それぞれの色成分の表示期間に合わせて、例えば、発光ダイオードから構成された各色成分に対応する色を発光する光源（例えば、赤色発光光源、緑色発光光源、青色発光光源）を順次点灯することで、カラー表示を実現している（図２０Ａ参照）。フィールドシーケンシャル駆動のカラー表示方式を用いることで、例えば赤色、緑色、青色のカラーフィルターを備えた画像形成装置に比べて、画像形成装置の画素数を１／３にすることができるため、表示装置の小型化が可能となる。
【先行技術文献】
【特許文献】
【０００７】
【特許文献１】特開２００６−１６２７６７
【特許文献２】特開２００７−０９４１７５
【特許文献３】特開２０１０−０５５１２０
【発明の概要】
【発明が解決しようとする課題】
【０００８】
ところで、フィールドシーケンシャル駆動のカラー表示方式の画像形成装置では、１表示フレームにおいて、各色成分に対応する色を発光する光源（例えば赤色発光光源、緑色発光光源、青色発光光源）を順次点灯するので、或る非常に短い時間だけを見ると、１色の画像しか表示していないことになる。そのため、フィールドシーケンシャル方式で駆動される左眼用画像表示装置及び右眼用画像表示装置を備えたＨＭＤにおいて、１表示フレーム中の或る１色の画像を表示している期間に、何かしらの要因（例えば、観察者が瞬きをしたり、眼球が急に動いたとき等）で画像を見ることができなくなった場合、本来認識される色とは異なる色の画像を認識するという、所謂「色割れ」という問題が生じてしまう（図２０Ｂ参照）。特に、ＨＭＤは、観察者の瞳に非常に近い位置に表示装置を構成する光学装置が配置されているので、観察者の眼球の動き等に対して鋭敏であり、色割れが発生し易い。
【０００９】
従って、本開示の目的は、色割れといった現象が認識され難い、フィールドシーケンシャル方式で駆動される左眼用画像表示装置及び右眼用画像表示装置を備えた表示装置、及び、係る表示装置での使用に適した画像表示装置用光源を提供することにある。
【課題を解決するための手段】
【００１０】
上記の目的を達成するための本開示の第１の態様あるいは第２の態様に係る表示装置は、
（イ）観察者の頭部に装着されるフレーム、及び、
（ロ）フレームに取り付けられた左眼用画像表示装置及び右眼用画像表示装置、
を備えており、
各画像表示装置は、フィールドシーケンシャル駆動方式で複数色の画像を表示する画像形成装置を備えている。
【００１１】
そして、本開示の第１の態様に係る表示装置にあっては、左眼用画像表示装置にて左眼用画像を表示するときの画像表示色と、右眼用画像表示装置にて右眼用画像を表示するときの画像表示色とが異なる。また、本開示の第２の態様に係る表示装置にあっては、１表示フレーム内において（より具体的には、後述する１副画像表示期間内において）左眼用画像表示装置にて左眼用画像を表示するときの画像表示期間と、１表示フレーム内において（より具体的には、同じ１副画像表示期間内において）右眼用画像表示装置にて右眼用画像を表示するときの画像表示期間とが異なる。
【００１２】
上記の目的を達成するための本開示の画像表示装置用光源は、左眼用画像表示装置に備えられた左眼用画像表示装置用光源、及び、右眼用画像表示装置に備えられた右眼用画像表示装置用光源から構成された画像表示装置用光源であって、
左眼用画像表示装置及び右眼用画像表示装置において複数色の画像を表示させるために、左眼用画像表示装置用光源及び右眼用画像表示装置用光源は、フィールドシーケンシャル駆動方式で複数色を出射（発光）し、
左眼用画像表示装置用光源における発光開始の時期と右眼用画像表示装置用光源における発光開始の時期が異なる。
【発明の効果】
【００１３】
本開示の第１の態様に係る表示装置にあっては、左眼用画像表示装置にて左眼用画像を表示するときの画像表示色と、右眼用画像表示装置にて右眼用画像を表示するときの画像表示色とが異なるので、１表示フレーム中の或る１色の画像を表示している期間に、何かしらの要因で画像を見ることができない場合であっても、１表示フレーム全体としては、また、表示装置の全体では、本来認識される色の画像を認識することが可能となる。即ち、色割れ現象の発生を抑制することができる。また、本開示の第２の態様に係る表示装置にあっては、１表示フレーム内において左眼用画像表示装置にて左眼用画像を表示するときの画像表示期間と、１表示フレーム内において右眼用画像表示装置にて右眼用画像を表示するときの画像表示期間とが異なるので、１表示フレーム中の或る１色の画像を表示している期間に、何かしらの要因で画像を見ることができない場合であっても、１表示フレーム全体としては、また、表示装置の全体では、本来認識される色の画像を認識することが可能となる。即ち、色割れ現象の発生を抑制することができる。更には、本開示の画像表示装置用光源にあっては、左眼用画像表示装置用光源における発光開始の時期と右眼用画像表示装置用光源における発光開始の時期が異なるので、１表示フレーム中の或る１色の画像を表示している期間に、何かしらの要因で画像を見ることができない場合であっても、１表示フレーム全体としては、また、左眼用画像表示装置及び右眼用画像表示装置の全体では、本来認識される色の画像を認識することが可能となる。即ち、色割れ現象の発生を抑制することができる。尚、本明細書に記載された効果はあくまで例示であって限定されるものではなく、また、付加的な効果があってもよい。
【図面の簡単な説明】
【００１４】
【図１】図１Ａ及び図１Ｂは、それぞれ、実施例１の表示装置における左眼用画像表示装置及び右眼用画像表示装置の画像表示状態を示す概念図、及び、色割れ現象の発生の抑制を説明するための左眼用画像表示装置及び右眼用画像表示装置の画像表示状態を示す概念図である。
【図２】図２Ａ及び図２Ｂは、それぞれ、実施例１の表示装置の変形例における左眼用画像表示装置及び右眼用画像表示装置の画像表示状態を示す概念図、及び、色割れ現象の発生の抑制を説明するための左眼用画像表示装置及び右眼用画像表示装置の画像表示状態を示す概念図である。
【図３】図３Ａ及び図３Ｂは、それぞれ、実施例２の表示装置における左眼用画像表示装置及び右眼用画像表示装置の画像表示状態を示す概念図、及び、色割れ現象の発生の抑制を説明するための左眼用画像表示装置及び右眼用画像表示装置の画像表示状態を示す概念図である。
【図４】図４Ａ及び図４Ｂは、それぞれ、実施例２の表示装置の変形例における左眼用画像表示装置及び右眼用画像表示装置の画像表示状態を示す概念図、及び、色割れ現象の発生の抑制を説明するための左眼用画像表示装置及び右眼用画像表示装置の画像表示状態を示す概念図である。
【図５】図５は、実施例１の表示装置の概念図である。
【図６】図６は、実施例１の表示装置を上方から眺めた模式図である。
【図７】図７は、実施例１の表示装置を正面から眺めた模式図である。
【図８】図８Ａ及び図８Ｂは、それぞれ、実施例１の表示装置を側方から眺めた模式図、及び、画像表示装置を構成する導光板における光の伝播を模式的に示す図である。
【図９】図９は、実施例１の表示装置の変形例（変形例１Ａ）の概念図である。
【図１０】図１０は、実施例１の表示装置の別の変形例（変形例１Ｂ）の概念図である。
【図１１】図１１は、実施例１の表示装置の更に別の変形例（変形例１Ｃ）の概念図である。
【図１２】図１２は、図１１に示した実施例１の表示装置の更に別の変形例（変形例１Ｃ）における反射型体積ホログラム回折格子の一部を拡大して示す模式的な断面図である。
【図１３】図１３は、実施例１の表示装置の更に別の変形例（変形例１Ｄ）を上方から眺めた模式図である。
【図１４】図１４は、実施例１の表示装置の更に別の変形例（変形例１Ｄ）を正面から眺めた模式図である。
【図１５】図１５Ａ及び図１５Ｂは、それぞれ、実施例１の表示装置の更に別の変形例（変形例１Ｅ及び変形例１Ｆ）を側方から眺めた模式図である。
【図１６】図１６は、画像信号処理回路の概念図である。
【図１７】図１７は、画像信号処理回路を構成する第２画像信号処理回路及びメモリ部の概念図である。
【図１８】図１８は、画像信号処理回路を構成する光源制御部の概念図である。
【図１９】図１９は、表示装置全体の概念図である。
【図２０】図２０Ａ及び図２０Ｂは、色割れ現象を説明するための左眼用画像及び右眼用画像の表示状態を示す概念図である。
【図２１】図２１は、従来の表示装置における表示装置の概念図である。
【図２２】図２２は、従来の表示装置の変形例における表示装置の概念図である。
【発明を実施するための形態】
【００１５】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様〜第２の態様に係る表示装置及び画像表示装置用光源、全般に関する説明
２．実施例１（本開示の第１の態様及び第２−Ａの態様に係る表示装置、並びに、本開示の第１の構成に係る画像表示装置用光源）
３．実施例２（本開示の第２の態様（本開示の第２−Ｂの態様）に係る表示装置、並びに、本開示の第２の構成に係る画像表示装置用光源）、その他
【００１６】
［本開示の第１の態様〜第２の態様に係る表示装置及び本開示の画像表示装置用光源、全般に関する説明］
本開示の第２の態様に係る表示装置にあっては、１表示フレーム内における画像表示期間はＮの副画像表示期間に分割されており；第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは異なる形態とすることができる。尚、このような形態の表示装置を、便宜上、『本開示の第２−Ａの態様に係る表示装置』と呼ぶ。ここで、複数色の数をＭとしたとき、Ｍ＝Ｎであってもよいし、Ｎ＞Ｍであってもよい。
【００１７】
また、本開示の画像表示装置用光源にあっては、１表示フレーム内における画像表示期間はＮの副画像表示期間に分割されており；第ｎ番目の副画像表示期間（但し、１≦ｎ≦Ｎ）において、左眼用画像表示装置用光源の発光色と、右眼用画像表示装置用光源の発光色とは異なる形態とすることができる。尚、このような形態の表示装置を、便宜上、『本開示の第１の構成の画像表示装置用光源』と呼ぶ。ここで、複数色の数をＭとしたとき、Ｍ＝Ｎであってもよいし、Ｎ＞Ｍであってもよい。
【００１８】
あるいは又、本開示の第２の態様に係る表示装置にあっては、１表示フレーム内における画像表示期間はＮの副画像表示期間に分割されており；第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは同じであるが、第ｎ番目の副画像表示期間内における画像表示期間がずらされている形態とすることができる。尚、このような形態の表示装置を、便宜上、『本開示の第２−Ｂの態様に係る表示装置』と呼ぶ。そして、本開示の第２−Ｂの態様に係る表示装置にあっては、１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが無い形態とすることができる。あるいは又、１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが有る形態とすることができ、この場合、時間的重なりは、１副画像表示期間の５０％乃至９９％の範囲内であることが好ましい。ここで、複数色の数をＭとしたとき、Ｍ＝Ｎであってもよいし、Ｎ＞Ｍであってもよい。
【００１９】
また、本開示の画像表示装置用光源にあっては、１表示フレーム内における画像表示期間はＮの副画像表示期間に分割されており；第ｎ番目の副画像表示期間（但し、１≦ｎ≦Ｎ）において、左眼用画像表示装置用光源の発光色と、右眼用画像表示装置用光源の発光色とは同じであるが、第ｎ番目の副画像表示期間内における左眼用画像表示装置用光源における発光開始の時期と右眼用画像表示装置用光源における発光開始の時期が異なる形態とすることができる。尚、このような形態の表示装置を、便宜上、『本開示の第２の構成の画像表示装置用光源』と呼ぶ。そして、本開示の第２の構成の画像表示装置用光源にあっては、１副画像表示期間において、左眼用画像表示装置用光源の発光期間と、右眼用画像表示装置用光源の発光期間とには、時間的重なりが無い形態とすることができる。あるいは又、１副画像表示期間において、左眼用画像表示装置用光源の発光期間と、右眼用画像表示装置用光源の発光期間とには、時間的重なりが有る形態とすることができ、この場合、時間的重なりは、１副画像表示期間の５０％乃至９９％の範囲内であることが好ましい。ここで、複数色の数をＭとしたとき、Ｍ＝Ｎであってもよいし、Ｎ＞Ｍであってもよい。
【００２０】
本開示の第１の態様〜第２の態様に係る表示装置、本開示の画像表示装置用光源において、複数色として、例えば、赤色、緑色、青色の３種類の色（Ｍ＝３）を例示することができるし、更には、これらの３種の色に、更に、１種類あるいは複数種類の色を加えることもできるし、例えば、輝度向上のために白色光を加えることもできるし、色再現範囲を拡大するために補色や、イエロー色、マゼンタ色、シアン色を加えることもできる。
【００２１】
以上に説明した好ましい形態を含む本開示の第１の態様〜第２の態様に係る表示装置、あるいは、以上に説明した好ましい形態、構成を含む本開示の画像表示装置用光源にあっては、外部から画像信号を取り込み、画像信号に所定の信号処理を施し、フィールドシーケンシャル駆動用信号に変換する画像信号処理回路を更に備えている形態とすることができる。そして、この場合、画像信号処理回路は、
複数色に関する画像信号に対する信号処理を行う第１画像信号処理回路、
フィールドシーケンシャル駆動用信号を生成する第２画像信号処理回路、
フィールドシーケンシャル駆動用信号に対して１表示フレーム内における信号処理を行う第３画像信号処理回路、及び、
１表示フレーム分のフィールドシーケンシャル駆動用信号を格納するメモリ部、
から構成されている形態とすることができ、更には、この場合、第２画像信号処理回路は、
複数色に関する画像信号の判別を行う画像信号判別回路、
メモリ部との間のメモリインターフェース、及び、
メモリ部の制御を行うメモリ制御回路、
を有している形態とすることができるが、これらの形態に限定するものではない。尚、この場合、メモリ制御回路は、メモリ部に格納された１表示フレーム分のフィールドシーケンシャル駆動用信号の読み出し順を、左眼用画像表示装置にて左眼用画像を表示するときの画像表示色と、右眼用画像表示装置にて右眼用画像を表示するときの画像表示色とが異なるように制御する構成とすることができるし、あるいは又、メモリ制御回路は、メモリ部に格納された１表示フレーム分のフィールドシーケンシャル駆動用信号の読み出し期間を、１表示フレーム内において左眼用画像表示装置にて左眼用画像を表示するときの画像表示期間と、１表示フレーム内において右眼用画像表示装置にて右眼用画像を表示するときの画像表示期間とが異なるように制御する構成とすることができる。画像信号処理回路、それ自体は、周知の回路から構成することができる。
【００２２】
更には、以上に説明した好ましい形態、構成を含む本開示の第１の態様〜第２の態様に係る表示装置において、画像形成装置は、複数色を発光する光源、及び、光源から出射された光の通過又は反射を制御する液晶表示装置から成る構成とすることができるし、あるいは又、画像形成装置は、複数色を発光する光源、及び、光源から出射された光の反射を制御する複数のデジタルマイクロミラーデバイスから成る構成とすることができるし、あるいは又、疎水性絶縁膜、無極性液体及び極性液体を有し、印加する電圧によって疎水性絶縁膜に対する極性液体の接触角を制御することで、非透明性を持つ無極性液体による光の遮断量を制御するエレクトロウェッティング素子から成る構成とすることができる。
【００２３】
更には、以上に説明した好ましい形態、構成を含む本開示の第１の態様〜第２の態様に係る表示装置において、各画像表示装置は、画像形成装置からの画像を観察者の瞳に導く光学装置（導光手段）を更に備えており、
光学装置（導光手段）は、
（Ｂ−１）入射された光を内部で全反射により伝播させた後、出射する導光板、
（Ｂ−２）導光板に入射された光が導光板の内部で全反射されるように、導光板に入射された光を偏向させる第１偏向手段、及び、
（Ｂ−３）導光板の内部を全反射により伝播した光を導光板から出射させるために、導光板の内部を全反射により伝播した光を複数回に亙り偏向させる第２偏向手段、
を備えている構成とすることができる。尚、このような構成にあっては、光学装置を半透過型（シースルー型）とすることができる。具体的には、少なくとも観察者の瞳に対向する光学装置の部分（具体的には、導光板）を半透過（シースルー）とし、これらの光学装置の部分を通して外景を眺めることができる。ここで、「全反射」という用語は、内部全反射、あるいは、導光板内部における全反射を意味する。以下においても同様である。あるいは又、各画像表示装置は、画像形成装置からの画像を観察者の瞳に導く光学装置（導光手段）を更に備えており、
光学装置（導光手段）は、
（Ｂ−１）画像形成装置からの画像を反射する反射鏡（半透過型であってもよいし、非透過型であってもよい）、及び、
（Ｂ−２）反射鏡によって反射された画像が入射するレンズ群、
を備えている構成とすることができる。尚、このような構成にあっては、光学装置は、半透過型（シースルー型）である構成とすることもできるし、非透過型である構成とすることもできる。あるいは又、左眼用画像表示装置を構成する画像形成装置を観察者の左眼と対向させ、左眼用画像表示装置を構成する画像形成装置からの画像が観察者の左眼に到達するように構成し、右眼用画像表示装置を構成する画像形成装置を観察者の右眼と対向させ、右眼用画像表示装置を構成する画像形成装置からの画像が観察者の右眼に到達するように構成してもよい。
【００２４】
ここで、第１偏向手段は、導光板に入射された光を反射し、第２偏向手段は、導光板の内部を全反射により伝播した光を、複数回に亙り、透過、反射する構成とすることができる。そして、この場合、第１偏向手段は反射鏡として機能し、第２偏向手段は半透過鏡として機能する構成とすることができる。
【００２５】
このような構成において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。
【００２６】
あるいは又、第１偏向手段は、導光板に入射された光を回折し、第２偏向手段は、導光板の内部を全反射により伝播した光を、複数回に亙り、回折する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。尚、反射型回折格子素子として、反射型体積ホログラム回折格子を挙げることができる。反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。
【００２７】
本開示における画像形成装置においては、カラーの画像表示を行うので、第１回折格子部材あるいは第２回折格子部材を、異なるＭ種類（例えば、Ｍ＝３であり、赤色、緑色、青色の３種類）の波長帯域（あるいは、波長）を有するＭ種類の光の回折反射に対応させるために、反射型体積ホログラム回折格子から成るＭ層の回折格子層が積層されて成る構成とすることができる。各回折格子層には１種類の波長帯域（あるいは、波長）に対応する干渉縞が形成されている。あるいは又、異なるＭ種類の波長帯域（あるいは、波長）を有するＭ種類の光の回折反射に対応するために、１層の回折格子層から成る第１回折格子部材あるいは第２回折格子部材にＭ種類の干渉縞が形成されている構成とすることもできる。あるいは又、画角を例えば三等分して、第１回折格子部材あるいは第２回折格子部材を、各画角に対応する回折格子層が積層されて成る構成とすることができる。あるいは又、例えば、第１導光板に、赤色の波長帯域（あるいは、波長）を有する光を回折反射させる反射型体積ホログラム回折格子から成る回折格子層から構成された第１回折格子部材及び第２回折格子部材を配し、第２導光板に、緑色の波長帯域（あるいは、波長）を有する光を回折反射させる反射型体積ホログラム回折格子から成る回折格子層から構成された第１回折格子部材及び第２回折格子部材を配し、第３導光板に、青色の波長帯域（あるいは、波長）を有する光を回折反射させる反射型体積ホログラム回折格子から成る回折格子層から構成された第１回折格子部材及び第２回折格子部材を配し、これらの第１導光板、第２導光板及び第３導光板を隙間を開けて積層する構造を採用してもよい。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。反射型体積ホログラム回折格子が、直接、大気と接しないように、保護部材を配することが好ましい。
【００２８】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、反射型体積ホログラム回折格子から成るＭ層の回折格子層の積層構造から構成する場合、このような回折格子層の積層は、Ｍ層の回折格子層をそれぞれ別個に作製した後、Ｍ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｍ層の回折格子層を作製してもよい。
【００２９】
あるいは又、以上に説明した各種の好ましい形態、構成を含む本開示の第１の態様〜第２の態様に係る表示装置（以下、これらを総称して、『本開示の表示装置等』と呼ぶ場合がある）において、光学装置は、画像形成装置から出射された光が入射され、観察者の瞳に向かって出射される半透過ミラーから構成されている形態とすることができる。尚、画像形成装置から出射された光は、空気中を伝播して半透過ミラーに入射する構造としてもよいし、例えば、ガラス板やプラスチック板等の透明な部材（具体的には、後述する導光板を構成する材料と同様の材料から成る部材）の内部を伝播して半透過ミラーに入射する構造としてもよい。尚、半透過ミラーを、この透明な部材を介して画像形成装置に取り付けてもよいし、半透過ミラーを、この透明な部材とは別の部材を介して画像形成装置に取り付けてもよい。
【００３０】
本開示の表示装置等において、画像形成装置は、２次元マトリクス状に配列された複数の画素を有する形態とすることができる。そして、このような画像形成装置として、例えば、反射型空間光変調装置及び光源から構成された画像形成装置、透過型空間光変調装置及び光源から構成された画像形成装置といったライト・バルブを挙げることができる。反射型空間光変調装置として、具体的には、例えばＬＣＯＳ（Liquid Crystal On Silicon）等の反射型の液晶表示装置、及び、光源からの光の一部を反射して液晶表示装置へと導き、且つ、液晶表示装置によって反射された光の一部を通過させて光学系へと導く偏光ビームスプリッターの組合せや、デジタルマイクロミラーデバイス（ＤＭＤ）、エレクトロウェッティング素子を挙げることができる。また、透過型空間光変調装置として、具体的には、透過型液晶表示装置を挙げることができる。光源を構成する発光素子として、例えば、赤色発光素子、緑色発光素子、青色発光素子、白色発光素子等を挙げることができる。また、発光素子として、例えば、半導体レーザ素子や固体レーザ、ＬＥＤを例示することができる。発光素子は、各色に対して１つあるいは複数とすればよい。画素の数は、本開示の表示装置等に要求される仕様に基づき決定すればよく、画素の数の具体的な値として、３２０×２４０、４３２×２４０、６４０×４８０、１０２４×７６８、１９２０×１０８０等を例示することができる。
【００３１】
画像表示装置において、光学系（出射光を平行光とする光学系であり、『平行光出射光学系』と呼ぶ場合があり、具体的には、例えば、コリメート光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部を配置してもよい。
【００３２】
導光板は、導光板の軸線（Ｘ軸）と平行に延びる２つの平行面（第１面及び第２面）を有している。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００３３】
本開示の表示装置等において、フレームは、観察者の正面に配置されるフロント部と、フロント部の両端に蝶番を介して回動自在に取り付けられた２つのテンプル部とから成る構成とすることができる。尚、各テンプル部の先端部にはモダン部が取り付けられている。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置等の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置等の全体を眺めたとき、フレーム及びノーズパッドの組立体は、リムが無い点を除き、通常の眼鏡と略同じ構造を有する。ノーズパッドも周知の構成、構造とすることができる。
【００３４】
また、本開示の表示装置等にあっては、デザイン上、あるいは、装着の容易性といった観点から、２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。
【００３５】
フロント部の中央部分に撮像装置が取り付けられている形態とすることができる。撮像装置は、具体的には、例えば、ＣＣＤあるいはＣＭＯＳセンサーから成る固体撮像素子とレンズから構成されている。撮像装置からの配線は、例えば、フロント部を介して、一方の画像表示装置（あるいは画像形成装置）に接続すればよく、更には、画像表示装置（あるいは画像形成装置）から延びる配線に含ませればよい。
【００３６】
画像形成装置の中心から出射され、光学系の画像形成装置側節点を通過した光線を『中心光線』と呼び、中心光線の内、光学装置に垂直に入射するものを『中心入射光線』と呼ぶ。そして、中心入射光線が光学装置に入射する点を光学装置中心点とし、光学装置中心点を通過し、光学装置の軸線方向と平行な軸線をＸ軸、光学装置中心点を通過し、光学装置の法線と一致する軸線をＹ軸とする。本開示の表示装置等における水平方向とは、Ｘ軸と平行な方向であり、以下、『Ｘ軸方向』と呼ぶ場合もある。ここで、光学系は、画像形成装置と光学装置との間に配置され、画像形成装置から出射された光を平行光とする。そして、光学系にて平行光とされた光束が、光学装置に入射され、導光され、出射される。また、第１偏向手段の中心点を、『光学装置中心点』とする。
【００３７】
以上に説明した種々の変形例を含む本開示の表示装置等は、例えば、各種装置等の観察対象物（被写体）の運転、操作、保守、分解時等における各種説明や、記号、符号、印、標章、図案等の表示；人物や物品等の観察対象物（被写体）に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物（被写体）に関する各種説明、その内容や進行状況、背景等を説明するための説明文等の表示に用いることができるし、クローズド・キャプションの表示に用いることができる。尚、以上に説明した各種の内容は、被写体に関するデータに対応した情報に相当する。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を画像表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号や画像信号が本開示の表示装置等に送出され、画像が本開示の表示装置等にて表示される。また、各種装置、人物や物品等の観察対象物（被写体）に関する各種説明の表示を行うが、撮像装置によって各種装置、人物や物品等の観察対象物（被写体）を撮影し、本開示の表示装置等において撮影内容を解析することで、予め作成しておいた各種装置、人物や物品等の観察対象物（被写体）に関する各種説明の表示を本開示の表示装置等にて行うことができる。あるいは又、本開示の表示装置等は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【００３８】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【実施例１】
【００３９】
実施例１は、本開示の第１の態様に係る表示装置及び本開示の第２−Ａの態様に係る表示装置、並びに、本開示の画像表示装置用光源、具体的には、本開示の第１の構成の画像表示装置用光源に関する。実施例１の画像表示装置の概念図を図５に示し、実施例１等の表示装置を上方から眺めた模式図を図６に示し、正面から眺めた模式図を図７に示し、側方から眺めた模式図を図８Ａに示す。また、画像表示装置を構成する導光板における光の伝播を図８Ｂに模式的に示す。更には、表示装置全体の概念図を図１９に示すが、この例では、画像信号処理回路がＬＳＩから構成され、メモリ部はＤＲＡＭから構成され、画像形成装置は液晶表示装置（ＬＣＤ）から構成され、光源は発光ダイオード（ＬＥＤ）から構成されている。尚、メモリ部はＬＳＩ内部に搭載してもよい。
【００４０】
実施例１あるいは後述する実施例２の表示装置は、より具体的には、頭部装着型ディスプレイ（ＨＭＤ）であり、
（イ）観察者の頭部に装着されるフレーム（例えば、眼鏡型のフレーム１０）、及び、
（ロ）フレーム１０に取り付けられた左眼用画像表示装置及び右眼用画像表示装置（これらを、画像表示装置１００，２００，３００，４００，５００で示す）、
を備えている。そして、各画像表示装置１００，２００，３００，４００，５００は、フィールドシーケンシャル駆動方式で複数色の画像を表示する画像形成装置１１１Ａ，１１１Ｂ，１１１Ｃを備えている。尚、図面において、左眼用画像表示装置を構成する画像形成装置を参照番号１１１＿Ｌで表し、右眼用画像表示装置を構成する画像形成装置を参照番号１１１＿Ｒで表す。
【００４１】
また、実施例１の画像表示装置用光源は、左眼用画像表示装置に備えられた左眼用画像表示装置用光源、及び、右眼用画像表示装置に備えられた右眼用画像表示装置用光源から構成された画像表示装置用光源であり、左眼用画像表示装置及び右眼用画像表示装置において複数色の画像を表示させるために、左眼用画像表示装置用光源及び右眼用画像表示装置用光源は、フィールドシーケンシャル駆動方式で複数色を出射（発光）する。
【００４２】
ここで、各画像表示装置１００，２００，３００は、各画像形成装置１１１Ａ，１１１Ｂ，１１１Ｃから出射された光が入射され、導光され、出射される光学装置（導光手段）１２０，２２０，３２０を更に備えている。また、画像形成装置１１１Ａ，１１１Ｂ，１１１Ｃから出射された光を平行光とする光学系（平行光出射光学系）１１２を備えており、光学系１１２にて平行光とされた光束が光学装置１２０，２２０，３２０に入射され、導光され、出射される。
【００４３】
画像表示装置１００，２００，３００は、フレーム１０に、固定して取り付けられていてもよいし、着脱自在に取り付けられていてもよい。ここで、光学系１１２は、画像形成装置１１１Ａ，１１１Ｂ，１１１Ｃと光学装置１２０，２２０，３２０との間に配置されている。そして、光学系１１２にて平行光とされた光束が、光学装置１２０，２２０，３２０に入射され、導光され、出射される。また、光学装置１２０，２２０，３２０は半透過型（シースルー型）である。具体的には、少なくとも観察者の両眼に対向する光学装置の部分（より具体的には、少なくとも、後述する導光板１２１，２２１及び第２偏向手段１４０，２４０）は、半透過（シースルー）である。
【００４４】
実施例１あるいは後述する実施例２において、画像形成装置１１１Ａ，１１１Ｂ，１１１Ｃの中心から出射され、光学系１１２の画像形成装置側節点を通過した光線（中心光線ＣＬ）の内、光学装置１２０，２２０に垂直に入射する中心入射光線が光学装置１２０，２２０に入射する点を光学装置中心点Ｏとし、光学装置中心点Ｏを通過し、光学装置１２０，２２０の軸線方向と平行な軸線をＸ軸、光学装置中心点Ｏを通過し、光学装置１２０，２２０の法線と一致する軸線をＹ軸とする。尚、次に述べる第１偏向手段１３０，２３０の中心点が、光学装置中心点Ｏである。即ち、図８Ｂに示すように、画像表示装置１００，２００において、画像形成装置１１１Ａ，１１１Ｂ，１１１Ｃの中心から出射され、光学系１１２の画像形成装置側節点を通過した中心入射光線ＣＬは、導光板１２１，２２１に垂直に衝突する。云い換えれば、中心入射光線ＣＬは、導光板１２１，２２１へ、入射角０度で入射する。そして、この場合、表示される画像の中心は、導光板１２１，２２１の第１面１２２，２２２の垂線方向に一致する。
【００４５】
実施例１あるいは後述する実施例２における光学装置１２０，２２０は、
（Ｂ−１）入射された光を内部で全反射により伝播させた後、出射する導光板１２１，２２１、
（Ｂ−２）導光板１２１，２２１に入射された光が導光板１２１，２２１の内部で全反射されるように、導光板１２１，２２１に入射された光を偏向させる第１偏向手段１３０，２３０、及び、
（Ｂ−３）導光板１２１，２２１の内部を全反射により伝播した光を導光板１２１，２２１から出射させるために、導光板１２１，２２１の内部を全反射により伝播した光を複数回に亙り偏向させる第２偏向手段１４０，２４０、
を備えている。
【００４６】
ここで、図５に示す例において、第１偏向手段１３０及び第２偏向手段１４０は導光板１２１の内部に配設されている。そして、第１偏向手段１３０は、導光板１２１に入射された光を反射し、第２偏向手段１４０は、導光板１２１の内部を全反射により伝播した光を、複数回に亙り、透過、反射する。即ち、第１偏向手段１３０は反射鏡として機能し、第２偏向手段１４０は半透過鏡として機能する。より具体的には、導光板１２１の内部に設けられた第１偏向手段１３０は、アルミニウム（Ａｌ）から成り、導光板１２１に入射された光を反射させる光反射膜（一種のミラー）から構成されている。一方、導光板１２１の内部に設けられた第２偏向手段１４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１２１を構成する材料と同じ材料から成る薄片が挟まれている。尚、第１偏向手段１３０においては、導光板１２１に入射された平行光が導光板１２１の内部で全反射されるように、導光板１２１に入射された平行光が反射（又は回折）される。一方、第２偏向手段１４０においては、導光板１２１の内部を全反射により伝播した平行光が複数回に亙り反射（又は回折）され、導光板１２１から平行光の状態で、観察者の瞳２１に向かって出射される。
【００４７】
第１偏向手段１３０は、導光板１２１の第１偏向手段１３０を設ける部分１２４を切り出すことで、導光板１２１に第１偏向手段１３０を形成すべき斜面を設け、係る斜面に光反射膜を真空蒸着した後、導光板１２１の切り出した部分１２４を第１偏向手段１３０に接着すればよい。また、第２偏向手段１４０は、導光板１２１を構成する材料と同じ材料（例えば、ガラス）と誘電体積層膜（例えば、真空蒸着法にて成膜することができる）とが多数積層された多層積層構造体を作製し、導光板１２１の第２偏向手段１４０を設ける部分１２５を切り出して斜面を形成し、係る斜面に多層積層構造体を接着し、研磨等を行って、外形を整えればよい。こうして、導光板１２１の内部に第１偏向手段１３０及び第２偏向手段１４０が設けられた光学装置１２０を得ることができる。
【００４８】
ここで、実施例１あるいは後述する実施例２において、光学ガラスやプラスチック材料から成る導光板１２１，２２１は、導光板１２１，２２１の内部全反射による光伝播方向（Ｘ軸）と平行に延びる２つの平行面（第１面１２２，２２２及び第２面１２３，２２３）を有している。第１面１２２，２２２と第２面１２３，２２３とは対向している。そして、光入射面に相当する第１面１２２，２２２から平行光が入射され、内部を全反射により伝播した後、光出射面に相当する第１面１２２，２２２から出射される。但し、これに限定するものではなく、第２面１２３，２２３によって光入射面が構成され、第１面１２２，２２２によって光出射面が構成されていてもよい。
【００４９】
図５に示す例にあっては、画像形成装置１１１Ａは、２次元マトリクス状に配列された複数の画素を有する。具体的には、画像形成装置１１１Ａは、反射型空間光変調装置１５０Ａ、及び、赤色光を出射する赤色発光ダイオード１５２Ｒ、緑色光を出射する緑色発光ダイオード１５２Ｇ、青色光を出射する青色発光ダイオード１５２Ｂから成る光源１５２から構成されている。即ち、実施例１にあっては、複数色は、赤色、緑色、青色の３種類の色（Ｍ＝３）である。各画像形成装置１１１Ａ全体は、筐体１１３（図５では、一点鎖線で示す）内に納められており、係る筐体１１３には開口部（図示せず）が設けられており、開口部を介して光学系（平行光出射光学系，コリメート光学系）１１２から光が出射される。反射型空間光変調装置１５０Ａは、ライト・バルブとしてのＬＣＯＳから成る液晶表示装置（ＬＣＤ）１５１Ａ、及び、光源１５２からの光の一部を反射して液晶表示装置１５１Ａへと導き、且つ、液晶表示装置１５１Ａによって反射された光の一部を通過させて光学系１１２へと導く偏光ビームスプリッター１５３から構成されている。液晶表示装置１５１Ａは、２次元マトリクス状に配列された複数（例えば、６４０×４８０個）の画素（液晶セル）を備えている。偏光ビームスプリッター１５３は、周知の構成、構造を有する。光源１５２から出射された無偏光の光は、偏光ビームスプリッター１５３に衝突する。偏光ビームスプリッター１５３において、Ｐ偏光成分は通過し、系外に出射される。一方、Ｓ偏光成分は、偏光ビームスプリッター１５３において反射され、液晶表示装置１５１Ａに入射し、液晶表示装置１５１Ａの内部で反射され、液晶表示装置１５１Ａから出射される。そして、液晶表示装置１５１Ａから出射され、偏光ビームスプリッター１５３に衝突する光の内、Ｐ偏光成分は、偏光ビームスプリッター１５３を通過し、光学系１１２へと導かれる。一方、Ｓ偏光成分は、偏光ビームスプリッター１５３において反射され、光源１５２に戻される。光学系１１２は、例えば、凸レンズから構成され、平行光を生成させるために、光学系１１２における焦点距離の所（位置）に画像形成装置１１１（より具体的には、液晶表示装置１５１Ａ）が配置されている。
【００５０】
あるいは又、実施例１の表示装置の変形例（変形例１Ａ）の概念図を図９に示すように、画像形成装置１１１Ｂは、透過型空間光変調装置１５０Ｂ（具体的には、ライト・バルブとしての液晶表示装置１５１Ｂ）、及び、赤色光を出射する赤色発光ダイオード１５２Ｒ、緑色光を出射する緑色発光ダイオード１５２Ｇ、青色光を出射する青色発光ダイオード１５２Ｂから成る光源１５２から構成されている。光源１５２から出射された無偏光の光は、図示しない第１偏光板を通過して、液晶表示装置１５１Ｂに入射し、液晶表示装置１５１Ｂの内部を通過し、液晶表示装置１５１Ｂから出射され、図示しない第２偏光板を通過して、光学系１１２へと向かう。
【００５１】
あるいは又、実施例１の表示装置の別の変形例（変形例１Ｂ）の概念図を図１０に示すように、画像形成装置１１１Ｃは、赤色光を出射する赤色発光ダイオード１５２Ｒ、緑色光を出射する緑色発光ダイオード１５２Ｇ、青色光を出射する青色発光ダイオード１５２Ｂから成る光源１５２、並びに、光源１５２から出射された光の反射を制御する複数のデジタルマイクロミラーデバイス１５４から構成されている。光源１５２から出射された光は、光学系１１２を通過し、反射鏡１５５で反射され、デジタルマイクロミラーデバイス１５４に入射する。デジタルマイクロミラーデバイス１５４によって反射され、デジタルマイクロミラーデバイス１５４から出射した光は光学装置１２０に向かう。
【００５２】
あるいは又、実施例１の表示装置の更に別の変形例（変形例１Ｃ）の概念図を図１１に示すように、第１偏向手段及び第２偏向手段は、導光板２２１の表面（具体的には、導光板２２１の第２面２２３）に配設されている。そして、第１偏向手段は、導光板２２１に入射された光を回折し、第２偏向手段は、導光板２２１の内部を全反射により伝播した光を、複数回に亙り、回折する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材２３０』と呼び、反射型体積ホログラム回折格子から成る第２偏向手段を、便宜上、『第２回折格子部材２４０』と呼ぶ。
【００５３】
尚、図１１に示した例では、反射型空間光変調装置１５０Ａ（液晶表示装置１５１Ａ）、光源１５２及び偏光ビームスプリッター１５３を備えた画像形成装置１１１Ａを用いたが、代替的に、透過型空間光変調装置１５０Ｂ（液晶表示装置１５１Ｂ）及び光源１５２から構成された画像形成装置１１１Ｂを使用することもできるし、図１０に示した変形例１Ｂにおける光源１５２及びデジタルマイクロミラーデバイス１５４から構成された画像形成装置１１１Ｃを使用することもできる。
【００５４】
そして、第１回折格子部材２３０及び第２回折格子部材２４０は、３層の回折格子層が積層されて成る構成としている。尚、フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｚ軸に平行である。尚、第１回折格子部材２３０及び第２回折格子部材２４０の軸線はＸ軸と平行であり、法線はＹ軸と平行である。
【００５５】
図１２に反射型体積ホログラム回折格子の拡大した模式的な一部断面図を示す。反射型体積ホログラム回折格子には、傾斜角φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。
【００５６】
ｍ・λ＝２・ｄ・ｓｉｎ（Θ）    （Ａ）
Θ＝９０°−（φ＋ψ）          （Ｂ）
【００５７】
第１回折格子部材２３０は、上述したとおり、導光板２２１の第２面２２３に配設（接着）されており、第１面２２２から導光板２２１に入射されたこの平行光が導光板２２１の内部で全反射されるように、導光板２２１に入射されたこの平行光を回折反射する。更には、第２回折格子部材２４０は、上述したとおり、導光板２２１の第２面２２３に配設（接着）されており、導光板２２１の内部を全反射により伝播したこの平行光を、複数回、回折反射し、導光板２２１から平行光のまま第１面２２２から出射する。
【００５８】
そして、導光板２２１にあっても、平行光が内部を全反射により伝播した後、出射される。このとき、導光板２２１が薄く導光板２２１の内部を進行する光路が長いため、各画角によって第２回折格子部材２４０に至るまでの全反射回数は異なっている。より詳細に述べれば、導光板２２１に入射する平行光のうち、第２回折格子部材２４０に近づく方向の角度をもって入射する平行光の反射回数は、第２回折格子部材２４０から離れる方向の角度をもって導光板２２１に入射する平行光の反射回数よりも少ない。これは、第１回折格子部材２３０において回折反射される平行光であって、第２回折格子部材２４０に近づく方向の角度をもって導光板２２１に入射する平行光の方が、これと逆方向の角度をもって導光板２２１に入射する平行光よりも、導光板２２１の内部を伝播していく光が導光板２２１の内面と衝突するときの導光板２２１の法線と成す角度が小さくなるからである。また、第２回折格子部材２４０の内部に形成された干渉縞の形状と、第１回折格子部材２３０の内部に形成された干渉縞の形状とは、導光板２２１の軸線に垂直な仮想面に対して対称な関係にある。
【００５９】
あるいは又、表示装置を上方から眺めた模式図を図１３に示し、正面から眺めた模式図を図１４に示すように、実施例１の表示装置の更に別の変形例（変形例１Ｄ）において、画像表示装置３００を構成する光学装置３２０は、画像形成装置１１１Ａ，１１１Ｂ，１１１Ｃから出射された光が入射され、観察者の瞳２１に向かって出射される半透過ミラーから構成されている。尚、画像形成装置１１１Ａ，１１１Ｂ，１１１Ｃから出射された光は、ガラス板やプラスチック板等の透明な部材３２１の内部を伝播して光学装置３２０（半透過ミラー）に入射する構造としているが、空気中を伝播して光学装置３２０に入射する構造としてもよい。各画像形成装置１１１Ａ，１１１Ｂ，１１１Ｃは、フロント部１１に、例えば、ビスを用いて取り付けられている。また、部材３２１が各画像形成装置１１１Ａ，１１１Ｂ，１１１Ｃに取り付けられ、光学装置３２０（半透過ミラー）が部材３２１に取り付けられている。
【００６０】
あるいは又、実施例１の表示装置の更に別の変形例（変形例１Ｅ）を側面から眺めた模式図を図１５Ａに示すように、画像表示装置４００が観察者の瞳よりも上方に配置されており、各画像表示装置４００は、画像形成装置１１１Ａ，１１１Ｂ，１１１Ｃからの画像を観察者の瞳２１に導く光学装置（導光手段）を更に備えており、
光学装置（導光手段）は、
（Ｂ−１）画像形成装置からの画像を反射する反射鏡４０１（半透過型であってもよいし、非透過型であってもよい）、及び、
（Ｂ−２）反射鏡４０１によって反射された画像が入射するレンズ群４０２、
を備えている。反射鏡４０１及びレンズ群４０２は、フレーム１０に取り付けられた取付け部材４０３に取り付けられており、各画像表示装置４００は、取付け部材４０３から延びる取付け部材４０４に取り付けられている。
【００６１】
あるいは又、実施例１の表示装置の更に別の変形例（変形例１Ｆ）を側面から眺めた模式図を図１５Ｂに示すように、左眼用の画像表示装置５００を構成する画像形成装置を観察者の左眼と対向させ、左眼用画像表示装置を構成する画像形成装置からの画像が観察者の左眼に到達するように構成し、右眼用画像表示装置を構成する画像形成装置を観察者の右眼と対向させ、右眼用画像表示装置を構成する画像形成装置からの画像が観察者の右眼に到達するように構成してもよい。左眼用画像表示装置及び右眼用画像表示装置、並びに、レンズ群５０２は、フレーム１０に取り付けられた取付け部材５０３に取り付けられている。
【００６２】
フレーム１０は、観察者の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド（図示せず）が取り付けられている。即ち、フレーム１０及びノーズパッドの組立体は、基本的には、通常の眼鏡と略同じ構造を有する。更には、各筐体１１３が、取付け部材１９によって、着脱自在に、テンプル部１３に取り付けられている。フレーム１０は、金属又はプラスチックから作製されている。尚、各筐体１１３は、取付け部材１９によってテンプル部１３に着脱できないように取り付けられていてもよい。また、眼鏡を所有し、装着している観察者に対しては、観察者の所有する眼鏡のフレームのテンプル部に、各筐体１１３を取付け部材１９によって着脱自在に取り付けてもよい。各筐体１１３を、テンプル部１３の外側に取り付けてもよいし、テンプル部１３の内側に取り付けてもよい。
【００６３】
更には、画像形成装置１１１＿Ｒ，１１１＿Ｌから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１１＿Ｒ，１１１＿Ｌはヘッドホン部１６を備えており、各画像形成装置１１１＿Ｒ，１１１＿Ｌから延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。
【００６４】
配線（信号線や電源線等）１５は、上述したとおり、制御装置（制御回路）１８に接続されている。制御装置１８には画像信号処理回路６０が備えられている。そして、制御装置１８において画像表示のための処理がなされる。制御装置１８、画像信号処理回路６０は周知の回路から構成することができる。
【００６５】
また、フロント部１１の中央部分１１’には、ＣＣＤあるいはＣＭＯＳセンサーから成る固体撮像素子とレンズ（これらは図示せず）とから構成された撮像装置１７が、適切な取付部材（図示せず）によって取り付けられている。撮像装置１７からの信号は、撮像装置１７から延びる配線（図示せず）を介して、例えば、画像形成装置１１１＿Ｒに送出される。
【００６６】
そして、実施例１の表示装置にあっては、実施例１の表示装置における左眼用画像表示装置及び右眼用画像表示装置の画像表示状態を示す概念図を図１Ａに示すように、左眼用画像表示装置にて左眼用画像を表示するときの画像表示色と、右眼用画像表示装置にて右眼用画像を表示するときの画像表示色とが異なる。また、実施例１の画像表示装置用光源にあっては、左眼用画像表示装置用光源における発光開始の時期と右眼用画像表示装置用光源における発光開始の時期が異なる。尚、図１Ａ、あるいは、後述する図１Ｂ、図２Ａ、図２Ｂ、図３Ａ、図３Ｂ、図４Ａ、図４Ｂ、前述した図２０Ａ、図２０Ｂにおいては、表示装置の内部における信号処理の遅延は無視して表示している。
【００６７】
あるいは又、本開示の第２−Ａの態様に係る表示装置に則って表現すれば、１表示フレーム内における画像表示期間はＮの副画像表示期間に分割されており；第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは異なる。また、本開示の第１の構成の画像表示装置用光源に則って表現すれば、１表示フレーム内における画像表示期間はＮの副画像表示期間に分割されており；第ｎ番目の副画像表示期間（但し、１≦ｎ≦Ｎ）において、左眼用画像表示装置用光源の発光色と、右眼用画像表示装置用光源の発光色とは異なる。
【００６８】
具体的には、図１Ａに示すように、赤色画像を表示させるべき左眼用画像信号が左眼用画像表示装置に入力されるとき、緑色画像を表示させるべき右眼用画像信号が右眼用画像表示装置に入力される。また、緑色画像を表示させるべき左眼用画像信号が左眼用画像表示装置に入力されるとき、青色画像を表示させるべき右眼用画像信号が右眼用画像表示装置に入力される。更には、青色画像を表示させるべき左眼用画像信号が左眼用画像表示装置に入力されるとき、赤色画像を表示させるべき右眼用画像信号が右眼用画像表示装置に入力される。
【００６９】
実施例１あるいは後述する実施例２の表示装置あるいは画像表示装置用光源にあっては、外部から画像信号（入力画像信号）を取り込み、画像信号（入力画像信号）に所定の信号処理を施し、フィールドシーケンシャル駆動用信号に変換する画像信号処理回路６０を更に備えている。ここで、画像信号処理回路６０は、図１６に示すように、
複数色に関する画像信号（具体的には、主に、赤色画像を表示するための赤色画像信号R_L，R_R、緑色画像を表示するための緑色画像信号G_L，G_R、青色画像を表示するための青色画像信号B_L，B_R）に対する信号処理を行う第１画像信号処理回路６１、
フィールドシーケンシャル駆動用信号（赤色画像を表示するためのフィールドシーケンシャル駆動用信号FS_R_L，FS_R_R、緑色画像を表示するためのフィールドシーケンシャル駆動用信号FS_G_L，FS_G_R、青色画像を表示するためのフィールドシーケンシャル駆動用信号FS_B_L，FS_B_R）を生成する第２画像信号処理回路６２、
フィールドシーケンシャル駆動用信号に対して１表示フレーム内における信号処理を行う第３画像信号処理回路６３、及び、
１表示フレーム分のフィールドシーケンシャル駆動用信号を格納するメモリ部６４、
から構成されており、更には、画像信号処理回路６０は、外部から画像信号を取りこむ画像信号入力部７１、光源１５２の発光タイミングや発光期間を制御する光源制御部８０を備えている。尚、信号を表す記号において、「_L」は左眼用の信号を意味し、「_R」は右眼用の信号を意味する。
【００７０】
第２画像信号処理回路６２は、図１７に示すように、
複数色に関する画像信号の判別を行う画像信号判別回路６２Ａ、
メモリ部６４との間のメモリインターフェース６２Ｄ、及び、
メモリ部６４の制御を行うメモリ制御回路（具体的には、左眼用画像表示装置制御回路６２Ｂ及び右眼用画像表示装置制御回路６２Ｃ）、
を有しており、更には、
ＦＳ出力回路６２Ｅ、
を備えている。画像信号判別回路６２Ａにおいては、入力画像信号が例えばＹＵＶフォーマットの場合にＲＧＢ変換を行う。場合によっては、画像信号判別回路６２Ａは不要である。尚、メモリ制御回路６２Ｂ，６２Ｃは、メモリ部６４に格納された１表示フレーム分のフィールドシーケンシャル駆動用信号の読み出し順を、左眼用画像表示装置にて左眼用画像を表示するときの画像表示色と、右眼用画像表示装置にて右眼用画像を表示するときの画像表示色とが異なるように制御する。
【００７１】
画像信号入力部からの赤色画像表示のための赤色画像信号R_L，R_R、緑色画像表示のための緑色画像信号G_L，G_R、青色画像表示のための青色画像信号B_L，B_Rには、先ず、第１画像信号処理回路６１で、ガンマ補正や色補正等の主に各色に関する信号処理が施され、画像信号R'_L，R'_R，G'_L，G'_R，B'_L，B'_Rとして第１画像信号処理回路６１から出力され、第２画像信号処理回路６２に入力され、フィールドシーケンシャル駆動用信号FS_R_L，FS_R_R，FS_G_L，FS_G_R，FS_B_L，FS_B_Rに変換される。
【００７２】
具体的には、第２画像信号処理回路６２では、１表示フレーム分の画像信号R'_L，R'_R，G'_L，G'_R，B'_L，B'_Rが、赤色、緑色、青色が判別できる状態で（即ち、画像信号の読み出し時、赤色画像信号、緑色画像信号、青色画像信号毎に読み出せる状態で）、メモリ部６４に格納される。そして、メモリ部６４に格納された赤色画像信号、緑色画像信号、青色画像信号を時間分割で出力するために、入力に対して３倍の速さで、メモリ制御回路６２Ｂ，６２Ｃの制御下、所望の順序（図１Ａ参照）で、赤色画像信号、緑色画像信号、青色画像信号が、独立して読み出される。そして、メモリ部６４から読み出された画像信号は、ＦＳ出力部６２Ｅにおいてフィールドシーケンシャル駆動用信号FS_R_L，FS_R_R，FS_G_L，FS_G_R，FS_B_L，FS_B_Rに変換され、第３画像信号処理回路６３へと出力される。
【００７３】
第３画像信号処理回路６３においては、主に、或る表示フレームと、次の表実施例フレームとの間で、赤色画像信号、緑色画像信号、青色画像信号を比較するような信号処理が施され、フィールドシーケンシャル駆動用信号FS'_R_L，FS'_R_R，FS'_G_L，FS'_G_R，FS'_B_L，FS'_B_Rとして、左眼用画像表示装置、右眼用画像表示装置へ出力される。そして、画像形成装置１１１Ａ，１１１Ｂ，１１１Ｃにおいて、フィールドシーケンシャル駆動に基づき画像が表示される。
【００７４】
光源制御部８０では、光源１５２Ｒ，１５２Ｇ，１５２Ｂの発光タイミング及び発光期間を示す制御パルスが生成され、光源１５２Ｒ，１５２Ｇ，１５２Ｂに出力される。光源１５２Ｒ，１５２Ｇ，１５２Ｂは、制御パルスに基づき点灯する。
【００７５】
具体的には、光源制御部８０にあっては、図１８に示すように、第２画像信号処理回路６２からのフィールドシーケンシャル駆動に関する情報（ＦＳ情報。例えば、左眼用画像信号における赤色画像信号、緑色画像信号、青色画像信号の順序と、右眼用画像信号における赤色画像信号、緑色画像信号、青色画像信号の順序）が、ＦＳ情報取得部８１で取得される。一方、画像信号読み出し後の同期信号ＳＹＣＮを同期信号入力部８２が受け取る。そして、ＦＳ情報取得部８１及び同期信号入力部８２からの出力に基づき、パルス生成部８３において、制御パルスPWM_R_L，PWM_G_L，PWM_B_L，PWM_R_R，PWM_G_R，PWM_B_Rが生成される。尚、制御パルスPWM_R_Lは、左眼用画像表示装置用の画像形成装置１１１Ａ，１１１Ｂ，１１１Ｃに書き込まれる赤色画像信号に対応している。また、制御パルスPWM_G_Lは、左眼用画像表示装置用の画像形成装置１１１Ａ，１１１Ｂ，１１１Ｃに書き込まれる緑色画像信号に対応している。更には、制御パルスPWM_B_Lは、左眼用画像表示装置用の画像形成装置１１１Ａ，１１１Ｂ，１１１Ｃに書き込まれる青色画像信号に対応している。一方、制御パルスPWM_R_Rは、右眼用画像表示装置用の画像形成装置１１１Ａ，１１１Ｂ，１１１Ｃに書き込まれる赤色画像信号に対応している。また、制御パルスPWM_G_Rは、右眼用画像表示装置用の画像形成装置１１１Ａ，１１１Ｂ，１１１Ｃに書き込まれる緑色画像信号に対応している。更には、制御パルスPWM_B_Rは、右眼用画像表示装置用の画像形成装置１１１Ａ，１１１Ｂ，１１１Ｃに書き込まれる青色画像信号に対応している。画像信号及び制御パルスの位相は、パルス生成部８３を構成する位相調整部８４によって調整され、制御パルスの幅は、パルス生成部８３を構成するパルス幅調整部８５において調整される。得られた制御パルス（光源１５２をＰＷＭ駆動するための制御パルス）PWM_R_L，PWM_G_L，PWM_B_L，PWM_R_R，PWM_G_R，PWM_B_Rは、ＰＷＭパルス出力部８６を介して、光源１５２（光源１５２＿Ｌ，１５２＿Ｒ）に送出され、光源１５２は、所望の輝度で画像形成装置１１１Ａ，１１１Ｂ，１１１Ｃを照明する。尚、第２画像信号処理回路６２からフィールドシーケンシャル情報（ＦＳ情報）を取得する代わりに、観察者が、例えばスイッチを用いて、直接、光源制御部８０のレジスタ等にＦＳ情報を設定してもよい。
【００７６】
入力画像信号のフォーマットはＲＧＢフォーマットに限らず、例えば，ＹＵＶ等のフォーマットでもよい。第１画像信号処理回路６１で、ガンマ補正や色補正等の主に各色に関する信号処理に加えて、種々の処理（例えば、色斑抑制の処理や、液晶表示装置に特有の信号処理等）を行ってもよいし、第１画像信号処理回路６１と第２画像信号処理回路６２とを一体化してもよい。第２画像信号処理回路６２において、例えばガンマ補正等を行ってもよい。
【００７７】
図１Ａに示した例では、１表示フレーム内における画像表示期間はＮ（具体的には、Ｎ＝３）の副画像表示期間に分割されており；第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とを異ならせた。ここで、複数色の数をＭとしたとき、Ｍ＝Ｎ＝３である。
【００７８】
一方、図２Ａに示す例にあっては、Ｎ＝４、Ｍ＝３とした。具体的には、１表示フレーム内における画像表示期間はＮ（具体的には、Ｎ＝４）の副画像表示期間に分割されており、赤色画像表示及び青色画像表示は、それぞれ、１副画像表示期間において行われ、緑色画像表示は、２副画像表示期間において行われる。
【００７９】
実施例１の表示装置にあっては、左眼用画像表示装置にて左眼用画像を表示するときの画像表示色と、右眼用画像表示装置にて右眼用画像を表示するときの画像表示色とが異なる。それ故、１表示フレーム中の或る１色の画像を表示している期間に画像が何かしらの要因で見ることができない場合であっても、１表示フレーム全体としては、また、左眼用画像表示装置及び右眼用画像表示装置の全体では、本来認識される色の画像を認識することが可能となる。即ち、例えば、図１Ａ、図２Ａにおいて、左眼用画像の画像表示色が赤色であり、右眼用画像の画像表示色が緑色である時、例えば、観察者が瞬きをしたり、眼球が急に動き、これらの左眼用画像における赤色画像、及び、右眼用画像における緑色画像が見えない場合であっても（図１Ｂ、図２Ｂ参照）、観察者は、左眼用画像及び右眼用画像の全体では、１表示フレームにおいて、赤色画像、緑色画像及び青色画像を認識することができるので（即ち、左眼用画像における緑色画像及び青色画像、並びに、右眼用画像における青色画像及び赤色画像を認識することができるので）、色割れ現象の発生を抑制することができる。即ち、脳が認識する左眼用画像及び右眼用画像を合わせた画像全体において特定の色の抜けを無くすことができ、特定の色が全く認識できないという問題を解決することができる。同様に、実施例１の画像表示装置用光源にあっては、左眼用画像表示装置用光源における発光開始の時期と右眼用画像表示装置用光源における発光開始の時期が異なるので、１表示フレーム中の或る１色の画像を表示している期間に画像が何かしらの要因で見ることができない場合であっても、１表示フレーム全体としては、また、左眼用画像表示装置及び右眼用画像表示装置の全体では、本来認識される色の画像を認識することが可能となる。即ち、色割れ現象の発生を抑制することができる。
【実施例２】
【００８０】
実施例２は、本開示の第２の態様に係る表示装置、具体的には、本開示の第２−Ｂの態様に係る表示装置、並びに、本開示の画像表示装置用光源、具体的には、本開示の第２の構成の画像表示装置用光源に関する。尚、実施例２の表示装置、画像表示装置は、実施例１において説明した表示装置、画像表示装置と同様の構成、構造を有するので、詳細な説明は省略する。
【００８１】
実施例２の表示装置にあっては、実施例２の表示装置における左眼用画像表示装置及び右眼用画像表示装置の画像表示状態を図３Ａ及び図４Ａの概念図に示すように、１表示フレーム内において（具体的には、１副画像表示期間内において）左眼用画像表示装置にて左眼用画像を表示するときの画像表示期間と、１表示フレーム内において（より具体的には、同じ１副画像表示期間内において）右眼用画像表示装置にて右眼用画像を表示するときの画像表示期間とが異なる。より具体的には、本開示の第２−Ｂの態様に係る表示装置に則って説明すると、実施例２の表示装置にあっては、１表示フレーム内における画像表示期間はＮの副画像表示期間に分割されており；第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは同じであるが、第ｎ番目の副画像表示期間内における画像表示期間がずらされている。
【００８２】
ここで、図３Ａに示す例にあっては、１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが有る。図示した例では、時間的重なりは、１副画像表示期間の５０％である。また、図４Ａに示す例にあっては、１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが無い。
【００８３】
また、実施例２の画像表示装置用光源にあっては、左眼用画像表示装置用光源における発光開始の時期と右眼用画像表示装置用光源における発光開始の時期が異なる。より具体的には、１表示フレーム内における画像表示期間はＮの副画像表示期間に分割されており；第ｎ番目の副画像表示期間（但し、１≦ｎ≦Ｎ）において、左眼用画像表示装置用光源の発光色と、右眼用画像表示装置用光源の発光色とは同じであるが、第ｎ番目の副画像表示期間内における左眼用画像表示装置用光源における発光開始の時期と右眼用画像表示装置用光源における発光開始の時期が異なる。そして、実施例２の画像表示装置用光源にあっては、１副画像表示期間において、左眼用画像表示装置用光源の発光期間と、右眼用画像表示装置用光源の発光期間とには、時間的重なりが無い（図４Ａ参照）。あるいは又、１副画像表示期間において、左眼用画像表示装置用光源の発光期間と、右眼用画像表示装置用光源の発光期間とには、時間的重なりが有る（図３Ａ参照）。
【００８４】
このような実施例２の表示装置にあっては、メモリ制御回路６２Ｂ，６２Ｃは、メモリ部６４に格納された１表示フレーム分の赤色画像信号、緑色画像信号、青色画像信号の読み出し期間を、１表示フレーム内において左眼用画像表示装置にて左眼用画像を表示するときの画像表示期間と、１表示フレーム内において右眼用画像表示装置にて右眼用画像を表示するときの画像表示期間とが異なるように制御する。具体的には、メモリ制御回路６２Ｂ，６２Ｃは、赤色画像信号、緑色画像信号、青色画像信号を読み出す際に、左眼用画像表示装置及び右眼用画像表示装置毎に、画像信号を読み出すタイミングをずらす。また、光源制御部８０においては、画像信号と制御パルスの位相を、位相調整部８４によってずらす。こうして、左眼用画像表示装置及び右眼用画像表示装置において、赤色画像、緑色画像及び青色画像の表示順が同じ場合でも、光源１５２Ｒ，１５２Ｇ，１５２Ｂの発光タイミングをずらすことが可能となる。
【００８５】
実施例２の表示装置にあっては、１表示フレーム内において左眼用画像表示装置にて左眼用画像を表示するときの画像表示期間と、１表示フレーム内において右眼用画像表示装置にて右眼用画像を表示するときの画像表示期間とが異なるので、１表示フレーム中の或る１色の画像を表示している期間に画像が何かしらの要因で見ることができない場合であっても（図３Ｂ、図４Ｂ参照）、１表示フレーム全体としては、また、左眼用画像表示装置及び右眼用画像表示装置の全体では、本来認識される色の画像を認識することが可能となる。即ち、色割れ現象の発生を抑制することができる。即ち、脳が認識する左眼用画像及び右眼用画像を合わせた画像全体において特定の色の抜けを無くすことができ、特定の色が全く認識できないという問題を解決することができる。同様に、実施例２の画像表示装置用光源にあっては、左眼用画像表示装置用光源における発光開始の時期と右眼用画像表示装置用光源における発光開始の時期が異なるので、１表示フレーム中の或る１色の画像を表示している期間に画像が何かしらの要因で見ることができない場合であっても、１表示フレーム全体としては、また、左眼用画像表示装置及び右眼用画像表示装置の全体では、本来認識される色の画像を認識することが可能となる。即ち、色割れ現象の発生を抑制することができる。
【００８６】
以上、本開示を好ましい実施例に基づき説明したが、本開示はこれらの実施例に限定するものではない。実施例において説明した表示装置（頭部装着型ディスプレイ）、画像表示装置、画像形成装置の構成、構造は例示であり、適宜変更することができる。例えば、導光板に表面レリーフ型ホログラム（米国特許第２００４００６２５０５Ａ１参照）を配置してもよい。光学装置２２０にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。実施例においては、Ｙ方向を、観察者に対して概ね水平方向としたが、画像表示装置や画像形成装置、導光手段の配置状態に依っては、Ｙ方向を、観察者に対して概ね垂直方向としてもよい。
【００８７】
画像信号処理回路６０は、物理的に接続されたハード内（例えばワン・チップのＬＳＩ）に搭載されている必要はなく、別々のハードウエア（例えば複数のＬＳＩ）とすることもできる。尚、この場合、左眼用及び右眼用の画像信号（情報）を左眼用のＬＳＩ及び右眼用のＬＳＩの間で共有するために、例えばスイッチを用いて、観察者が、直接、ハードウエアのレジスタ等にＦＳ情報を書き込めばよい。実施例にあっては、フィールドシーケンシャル駆動用信号の時間分割を、Ｎ＝３，４としたが、これに限らず、例えば、Ｎ＝６とすることもできる。具体的には、１表示フレームにおいて、例えば、赤色画像表示、緑色画像表示、青色画像表示を２回、繰り返す。尚、この設定は、例えばスイッチを用いて、観察者が、第２画像信号処理回路６２に設けられた例えばレジスタに格納し、その設定情報を基に第２画像信号処理回路６２が処理を行うことで可能である。
【００８８】
尚、本開示は、以下のような構成を取ることもできる。
［１］《表示装置：第１の態様》
（イ）観察者の頭部に装着されるフレーム、及び、
（ロ）フレームに取り付けられた左眼用画像表示装置及び右眼用画像表示装置、
を備えており、
各画像表示装置は、フィールドシーケンシャル駆動方式で複数色の画像を表示する画像形成装置を備えており、
左眼用画像表示装置にて左眼用画像を表示するときの画像表示色と、右眼用画像表示装置にて右眼用画像を表示するときの画像表示色とが異なる表示装置。
［２］《表示装置：第２の態様》
（イ）観察者の頭部に装着されるフレーム、及び、
（ロ）フレームに取り付けられた左眼用画像表示装置及び右眼用画像表示装置、
を備えており、
各画像表示装置は、フィールドシーケンシャル駆動方式で複数色の画像を表示する画像形成装置を備えており、
１表示フレーム内において左眼用画像表示装置にて左眼用画像を表示するときの画像表示期間と、１表示フレーム内において右眼用画像表示装置にて右眼用画像を表示するときの画像表示期間とが異なる表示装置。
［３］１表示フレーム内における画像表示期間はＮの副画像表示期間に分割されており、
第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは異なる［２］に記載の表示装置。
［４］１表示フレーム内における画像表示期間はＮの副画像表示期間に分割されており、
第ｎ番目の副画像表示期間（但し、１≦ｎ≦Ｎ）において、左眼用画像表示装置にて左眼用画像を表示するときの画像表示色と、右眼用画像表示装置にて右眼用画像を表示するときの画像表示色とは同じであるが、第ｎ番目の副画像表示期間内における画像表示期間がずらされている［２］に記載の表示装置。
［５］１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが無い［４］に記載の表示装置。
［６］１副画像表示期間において、左眼用画像表示装置にて左眼用画像を表示するときの副画像表示期間内における画像表示期間と、右眼用画像表示装置にて右眼用画像を表示するときの副画像表示期間内における画像表示期間とには、時間的重なりが有る［４］に記載の表示装置。
［７］時間的重なりは、１副画像表示期間の５０％乃至９９％の範囲内である［６］に記載の表示装置。
［８］外部から画像信号を取り込み、画像信号に所定の信号処理を施し、フィールドシーケンシャル駆動用信号に変換する画像信号処理回路を更に備えている［１］乃至［７］のいずれか１項に記載の表示装置。
［９］画像信号処理回路は、
複数色に関する画像信号に対する信号処理を行う第１画像信号処理回路、
フィールドシーケンシャル駆動用信号を生成する第２画像信号処理回路、
フィールドシーケンシャル駆動用信号に対して１表示フレーム内における信号処理を行う第３画像信号処理回路、及び、
１表示フレーム分のフィールドシーケンシャル駆動用信号を格納するメモリ部、
から構成されている［８］に記載の表示装置。
［１０］第２画像信号処理回路は、
複数色に関する画像信号の判別を行う画像信号判別回路、
メモリ部との間のメモリインターフェース、及び、
メモリ部の制御を行うメモリ制御回路、
を有している［９］に記載の表示装置。
［１１］メモリ制御回路は、メモリ部に格納された１表示フレーム分のフィールドシーケンシャル駆動用信号の読み出し順を、左眼用画像表示装置にて左眼用画像を表示するときの画像表示色と、右眼用画像表示装置にて右眼用画像を表示するときの画像表示色とが異なるように制御する［１０］に記載の表示装置。
［１２］メモリ制御回路は、メモリ部に格納された１表示フレーム分のフィールドシーケンシャル駆動用信号の読み出し期間を、１表示フレーム内において左眼用画像表示装置にて左眼用画像を表示するときの画像表示期間と、１表示フレーム内において右眼用画像表示装置にて右眼用画像を表示するときの画像表示期間とが異なるように制御する［１０］に記載の表示装置。
［１３］画像形成装置は、複数色を発光する光源、及び、光源から出射された光の通過又は反射を制御する液晶表示装置から成る［１］乃至［１２］のいずれか１項に記載の表示装置。
［１４］画像形成装置は、複数色を発光する光源、及び、光源から出射された光の反射を制御する複数のデジタルマイクロミラーデバイスから成る［１］乃至［１２］のいずれか１項に記載の表示装置。
［１５］各画像表示装置は、画像形成装置からの画像を観察者の瞳に導く光学装置を更に備えており、
光学装置は、
（Ｂ−１）入射された光を内部で全反射により伝播させた後、出射する導光板、
（Ｂ−２）導光板に入射された光が導光板の内部で全反射されるように、導光板に入射された光を偏向させる第１偏向手段、及び、
（Ｂ−３）導光板の内部を全反射により伝播した光を導光板から出射させるために、導光板の内部を全反射により伝播した光を複数回に亙り偏向させる第２偏向手段、
を備えている［１］乃至［１４］のいずれか１項に記載の表示装置。
［１６］各画像表示装置は、画像形成装置からの画像を観察者の瞳に導く光学装置を更に備えており、
光学装置は、
（Ｂ−１）画像形成装置からの画像を反射する反射鏡、及び、
（Ｂ−２）反射鏡によって反射された画像が入射するレンズ群、
を備えている［１］乃至［１４］のいずれか１項に記載の表示装置。
［１７］《画像表示装置用光源》
左眼用画像表示装置に備えられた左眼用画像表示装置用光源、及び、右眼用画像表示装置に備えられた右眼用画像表示装置用光源から構成された画像表示装置用光源であって、
左眼用画像表示装置及び右眼用画像表示装置において複数色の画像を表示させるために、左眼用画像表示装置用光源及び右眼用画像表示装置用光源は、フィールドシーケンシャル駆動方式で複数色を出射し、
左眼用画像表示装置用光源における発光開始の時期と右眼用画像表示装置用光源における発光開始の時期が異なる画像表示装置用光源。
［１８］１表示フレーム内における画像表示期間はＮの副画像表示期間に分割されており、
第ｎ番目の副画像表示期間（但し、１≦ｎ≦Ｎ）において、左眼用画像表示装置用光源の発光色と、右眼用画像表示装置用光源の発光色とは異なる［１７］に記載の表示装置。
［１９］１表示フレーム内における画像表示期間はＮの副画像表示期間に分割されており、
第ｎ番目の副画像表示期間（但し、１≦ｎ≦Ｎ）において、左眼用画像表示装置用光源の発光色と、右眼用画像表示装置用光源の発光色とは同じであるが、第ｎ番目の副画像表示期間内における左眼用画像表示装置用光源における発光開始の時期と右眼用画像表示装置用光源における発光開始の時期が異なる［１７］に記載の画像表示装置用光源。
【符号の説明】
【００８９】
１０・・・フレーム、１１・・・フロント部、１１’・・・フロント部の中央部分、１２・・・蝶番、１３・・・テンプル部、１４・・・モダン部、１５・・・配線（信号線や電源線等）、１６・・・ヘッドホン部、１６’・・・ヘッドホン部用配線、１７・・・撮像装置、１８・・・制御装置（制御回路、制御手段）、１９・・・取付け部材、２１・・・観察者の瞳、１００，２００，３００，４００，５００・・・画像表示装置、１１１Ａ，１１１Ｂ，１１１Ｃ，１１１＿Ｒ，１１１＿Ｌ・・・画像形成装置、１１２・・・光学系（平行光出射光学系、コリメート光学系）、１１３・・・筐体、１２０，２２０・・・光学装置（導光手段）、１２１，２２１・・・導光板、１２２，２２２・・・導光板の第１面、１２３，２２３・・・導光板の第２面、１２４・・・導光板の第１偏向手段を設ける部分、１２５・・・導光板の第２偏向手段を設ける部分、１３０・・・第１偏向手段、１４０・・・第２偏向手段、２３０・・・第１偏向手段（第１回折格子部材）、２４０・・・第２偏向手段（第２回折格子部材）、３２０・・・光学装置（半透過ミラー）、３２１・・・透明な部材、４０１・・・反射鏡４０１、４０２，５０２・・・レンズ群、４０３，４０４，５０３・・・取付け部材、１５０Ａ・・・反射型空間光変調装置、１５０Ｂ・・・透過型空間光変調装置、１５１Ａ，１５１Ｂ・・・液晶表示装置（ＬＣＤ）、１５２，１５２Ｒ，１５２Ｇ，１５２Ｂ，１５２＿Ｌ，１５２＿Ｒ・・・光源、１５３・・・偏光ビームスプリッター、１５４・・・デジタルマイクロミラーデバイス、１５５・・・反射鏡、６０・・・画像信号処理回路、６１・・・第１画像信号処理回路、６２・・・第２画像信号処理回路、６２Ａ・・・画像信号判別回路、６２Ｂ，６２Ｃ・・・メモリ制御回路（左眼用画像表示装置制御回路Ｂ及び右眼用画像表示装置制御回路）、６２Ｄ・・・メモリインターフェース、６２Ｅ・・・ＦＳ出力部、６３・・・第３画像信号処理回路、６４・・・メモリ部、７１・・・画像信号入力部、８０・・・光源制御部、８１・・・ＦＳ情報取得部、８２・・・同期信号入力部、８３・・・パルス生成部、８４・・・位相調整部、８５・・・パルス幅調整部、８６・・・ＰＷＭパルス出力部
【図１】
2014225725.tif 000003
【図２】
2014225725.tif 000004
【図３】
2014225725.tif 000005
【図４】
2014225725.tif 000006
【図５】
2014225725.tif 000007
【図６】
2014225725.tif 000008
【図７】
2014225725.tif 000009
【図８】
2014225725.tif 000010
【図９】
2014225725.tif 000011
【図１０】
2014225725.tif 000012
【図１１】
2014225725.tif 000013
【図１２】
2014225725.tif 000014
【図１３】
2014225725.tif 000015
【図１４】
2014225725.tif 000016
【図１５】
2014225725.tif 000017
【図１６】
2014225725.tif 000018
【図１７】
2014225725.tif 000019
【図１８】
2014225725.tif 000020
【図２０】
2014225725.tif 000021
【図２１】
2014225725.tif 000022
【図２２】
2014225725.tif 000023
【図１９】
2014225725.tif 000024